(57)【特許請求の範囲】
【請求項１】
車両の荷台に搭載可能な装置本体と、
液体を散布する散布手段とを備えた液体散布装置であって、
前記散布手段は前記装置本体に着脱自在に設けられ、
前記荷台外部へ露出させた状態で前記液体を散布可能とし、
前記装置本体は、キャスターを備え、
前記荷台の左側面壁に当接させて道路の路肩に除草剤が散布可能な路肩側位置と、
前記荷台の右側面壁に当接させて中央分離帯に除草剤が散布可能な中央分離帯側位置に移動可能に構成されたことを特徴とする液体散布装置。
【請求項２】
前記液体散布装置を前記車両内部から操作する操作手段を備えたことを特徴とする請求項１記載の液体散布装置。
【請求項３】
前記散布手段を昇降する昇降手段を備えたことを特徴とする請求項１記載の液体散布装置。
【請求項４】
前記散布手段は、前記車両下部に下側散布手段を備えたことを特徴とする請求項１記載の液体散布装置。
【請求項５】
前記散布手段は、前記車両の前後左右に配設可能であることを特徴とする請求項１記載の液体散布装置。
【請求項６】
前記散布手段は、
道路の路肩へ散布可能な路肩側散布手段と、
中央分離帯へ散布可能な中央分離帯側散布手段とを備えたことを特徴とする請求項１記載の液体散布装置。
【発明の詳細な説明】
【技術分野】
【０００１】
本発明は、除草剤等の液体を散布する液体散布装置に関するものである。
【背景技術】
【０００２】
従来、道路の路肩や中央分離帯の雑草への除草剤散布では、トラックの荷台に除草剤散布の作業者が搭乗し、トラックの荷台から除草剤を散布していた。
【０００３】
また、路肩にガードレールがある等の細かな箇所での除草剤散布では、作業者が荷台から降りて歩きながら除草剤を散布していた。
【０００４】
また、除草剤散布用の専用車両を用いたり、散水車（特許文献１参照）に除草剤散布用のノズルを装着して除草剤散布を行っていた。
【先行技術文献】
【特許文献】
【０００５】
【特許文献１】特願２００９−２８７１８０号公報
【発明の開示】
【発明が解決しようとする課題】
【０００６】
しかし、トラックの荷台に作業者が搭乗しての除草剤散布は、作業者転落の危険があった。また、作業者が歩きながらでの除草剤散布では時間がかかっていた。
【０００７】
また、除草剤散布用の専用車両を用いたり、散水車に除草剤散布用のノズルを装着して除草剤散布という方法では、開発や運用コストに問題点もあった。
【０００８】
そこで、本発明は、上記課題を解消するものであり、安全性が高く、作業効率もよく、しかも運用コストに優れた液体散布装置を提供することを目的とする。
【課題を解決するための手段】
【０００９】
請求項１の発明は、車両の荷台に搭載可能な装置本体と、液体を散布する散布手段とを備えた液体散布装置であって、前記散布手段は前記装置本体に着脱自在に設けられ、前記荷台外部へ露出させた状態で前記液体を散布可能とし、前記装置本体は、キャスターを備え、前記装置本体は、前記荷台の左側面壁に当接させて道路の路肩に除草剤が散布可能な路肩側位置と、前記荷台の右側面壁に当接させて中央分離帯に除草剤が散布可能な中央分離帯側位置に移動可能に構成されたことを特徴とする。
【００１０】
請求項２の発明は、前記液体散布装置を前記車両内部から操作する操作手段を備えたことを特徴とする。
【００１１】
請求項３の発明は、前記散布手段を昇降する昇降手段を備えたことを特徴とする。
【００１２】
請求項４の発明は、前記散布手段は、前記車両下部に下側散布手段を備えたことを特徴とする。
【００１３】
請求項５の発明は、前記散布手段は、前記車両の前後左右に配設可能であることを特徴とする。
【００１４】
請求項６の発明は、前記散布手段は、道路の路肩へ散布可能な路肩側散布手段と、中央分離帯へ散布可能な中央分離帯側散布手段とを備えたことを特徴とする。
【発明の効果】
【００１５】
請求項１の発明によれば、既存のトラックの荷台へ搭載するだけの簡単な構造で、しかも荷台に作業者が搭乗して散布する必要がないので作業安全性の高い液体散布装置を提供することができる。
【００１６】
請求項２の発明によれば、車両内部から散布手段を操作することができるので、作業安全性の向上を図ることができる。
【００１７】
請求項３の発明によれば、道路の路肩や中央分離帯における雑草やガードレール等の構造物に応じた効果的な液体散布を行うことができる。
【００１８】
請求項４の発明によれば、道路の目地の雑草への効果的な液体散布を行うことができる。
【００１９】
請求項５の発明によれば、単独の液体散布装置で道路の路肩と中央分離帯のどちらも液体散布が行えるので、汎用性の高い液体散布装置を提供することができる。
【００２０】
請求項６の発明によれば、単独の液体散布装置で道路の路肩と中央分離帯のどちらも液体散布が行えるので、汎用性の高い液体散布装置を提供することができる。
【図面の簡単な説明】
【００２１】
【図１】本発明の液体散布装置の第１実施例を示し、ノズルユニットを路肩側に取り付けた正面図である。
【図２】同上、ノズルユニットを中央分離帯側に取り付けた正面図である。
【図３】同上、バルブユニットの斜視図である。
【図４】同上、液体散布装置の使用状態を示す車両の平面図である。
【図５】同上、液体散布装置の使用状態を示す車両の側面図である。
【図６】同上、液体散布装置の概略を示す説明図である。
【図７】本発明の液体散布装置の第２実施例を示す正面図である。
【図８】同上、液体散布装置の使用状態を示す車両の平面図である。
【図９】同上、液体散布装置の使用状態を示す車両の側面図である。
【図１０】同上、液体散布装置の概略を示す説明図である。
【発明を実施するための最良の形態】
【００２２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２３】
図１〜図６は本発明の実施例１を示すものであり、本実施例の液体散布装置１は、ノズルユニット２と、バルブユニット３とを備えている。
【００２４】
ノズルユニット２には、上下方向に長手方向を有する中空箱状のノズル側筐体４と、ノズル側筐体４の一側面部の上下方向に所定の間隔を有して並設された上から順に第１〜７のノズル５，６，７，８，９，１０，１１と、ノズル側筐体４の他側面部の下部に設けられた第８のノズル１２と、ノズル側筐体４の他側面部の上部に並設された上から順に第１〜４のノズル側管継手１３，１４，１５，１６とを備えている。第７のノズル１１と第８のノズル１２は高さを揃えて設けられている。また、第１〜８のノズル５，６，７，８，９，１０，１１，１２は手動にて任意の向きに変更可能とする。
【００２５】
バルブユニット３は中空箱状のバルブ側筐体１７内部に、メインバルブ１８と、メインバルブ１８から並列して接続された第１〜４の電磁バルブ１９，２０，２１，２２と、第１〜４の電磁バルブ１９，２０，２１，２２の先に設けられた第１〜４のバルブ側管継手２３（第２〜４のバルブ側管継手については不図示）と、メインバルブ１８と第１〜４の電磁バルブ１９，２０，２１，２２との間に設けられた流量計２７と、各種電子機器２８と、電子機器２８に接続された受信機２９と、受信機２９に設けられたアンテナ３０とを備えている。尚、メインバルブ１８はポンプPを介して外部のタンク３１に接続され、流量計２７は流量計モニター３２に接続され、電子機器２８は外部のバッテリー３３に接続されている。
【００２６】
バルブ側筐体１７は、格子状のバルブユニット架台３４内部に収容されている。バルブユニット架台３４下部の四隅にはキャスター３５を備えている。バルブユニット架台３４の正面部は保護カバー３６で覆われている。
【００２７】
ノズルユニット２上部は、バルブユニット架台３４の左右側面部へシリンダユニット３７を介して取り付けられている。ノズルユニット２とバルブユニット架台３４の側面部との間には、トラック等の車両３８の荷台３９における左側面壁４０，右側面壁４１の厚みより大きな隙間が形成されている。また、シリンダユニット３７は前記電子機器２８に接続されている。第１〜４のバルブ側管継手２３と第１〜４のノズル側管継手１３，１４，１５，１６をそれぞれホース４２によって接続される。
【００２８】
図中の符号４３は無線機であり、電子機器２８の電源のオン／オフする主電源ボタン４４、メインバルブ１８の開閉を行うメインバルブ開閉ボタン４５、ポンプPの動作をオン／オフするポンプ作動ボタン４６、第１〜４の電磁バルブ１９，２０，２１，２２の選択的な開閉を行う第１〜４のバルブ開閉ボタン４７，４８，４９，５０、シリンダユニット３７を作動させてノズルユニット２を昇降させる上昇ボタン５１と下降ボタン５２とを備えている。シリンダユニット３７を介するノズルユニット２の上下方向のストローク量と各ノズル５，６，７，８，９，１０，１１の上下方向の間隔は、ガードレールの上下方向の幅に対応していることが好ましい。
【００２９】
以上の構成の液体散布装置１の使用方法について説明する。バルブユニット３を収容したバルブユニット架台３４をトラック等の車両３８の荷台３９の前壁部側に設置して、バルブユニット３にポンプP、除草剤が入ったタンク３１及びバッテリー３３を接続する。
【００３０】
図１に示すように道路の路肩Ａに除草剤を散布する場合には、バルブユニット架台３４の右側面部を荷台３９の左側面壁４０と当接させて、バルブユニット架台３４の右側面部にシリンダユニット３７を介してノズルユニット２を取り付ける（路肩側位置）。
【００３１】
図２に示すように中央分離帯Ｂに除草剤を散布する場合には、バルブユニット架台３４の左側面部を荷台３９の右側面壁４１と当接させて、バルブユニット架台３４の左側面部にシリンダユニット３７を介してノズルユニット２を取り付ける（中央分離帯側位置）。こうして、バルブユニット３に取り付けられたノズルユニット２は荷台３９の各側面壁４０，４１を跨いで荷台３９外部へ露出している。
【００３２】
そして、車両３８の助手席から作業者は、無線機４３を操作して、各種電子機器２８の主電源オン、メインバルブ１８の開放、ポンプPの作動を遠隔操作する。尚、車両３８の内部には流量計モニター３２が設置してあり、ポンプPからメインバルブ１８を流通する除草剤の流量を確認することができる。
【００３３】
道路の路肩Ａや中央分離帯Ｂにおける雑草やガードレール等の構造物に応じて、第１〜４の電磁バルブ１９，２０，２１，２２を選択的に開閉操作し、第１〜８のノズル５，６，７，８，９，１０，１１，１２から選択的に除草剤を散布する。ここで、第１の電磁バルブ１９を開くと第１のノズル５と第２のノズル６から除草剤が散布され、第２の電磁バルブ２０を開くと第３のノズル７と第４のノズル８から除草剤が散布され、第３の電磁バルブ２１を開くと第５のノズル９と第６のノズル１０から除草剤が散布され、第４の電磁バルブ２２を開くと第７のノズル１１と第８のノズル１２から除草剤が散布される。
【００３４】
例えば、路肩や中央分離帯の下部のみに除草剤を散布する場合には、第４の電磁バルブ２２を開放して第７のノズル１１と第８のノズル１２から除草剤を散布したり、また、第１〜８のノズル５，６，７，８，９，１０，１１，１２の全てから除草剤を散布する場合には第１〜４の電磁バルブ１９，２０，２１，２２の全てを開放する。
【００３５】
また、無線機４３の上昇ボタン５１や下降ボタン５２を操作して、ノズルユニット２を昇降させることで、道路の路肩Ａや中央分離帯Ｂにおけるガードレール等の構造物を回避して除草剤を散布することができる。
【００３６】
以上のように本実施例では、車両３８の荷台３９に搭載可能な装置本体としてのバルブユニット３と、液剤を散布する散布手段としてのノズルユニット２とを備えた液体散布装置１であって、ノズルユニット２はバルブユニット３に着脱自在に設けられ、荷台３９外部へ露出させた状態で液剤を散布可能であることにより、既存のトラックの荷台へ搭載するだけの簡単な構造で、しかも荷台に作業者が搭乗して散布する必要がないので作業安全性の高い液体散布装置１を提供することができる。
【００３７】
また、本実施例では、液体散布装置１を車両３８内部から操作する操作手段として無線機４３を備えたことにより、車両３８内部から液体散布装置１を操作することができるので、作業安全性の向上を図ることができる。
【００３８】
また、本実施例では、ノズルユニット２を昇降する昇降手段としてシリンダユニット３７を備えたことにより、道路の路肩Ａや中央分離帯Ｂにおける雑草やガードレール等の構造物に応じた効果的な液体散布を行うことができる。
【００３９】
また、本実施例では、ノズルユニット２は、前記車両３８の前後左右に配設可能とし、例えば道路の路肩Ａへ散布可能な路肩側位置と、中央分離帯Ｂへ散布可能な中央分離帯側位置とに切替可能に備えたことにより、単独の液体散布装置１で道路の路肩Ａと中央分離帯Ｂのどちらへも液体散布が行えるので、汎用性の高い液体散布装置１を提供することができる。
【実施例２】
【００４０】
次に図７〜図１０は、本発明の第２実施例を示すものである。同図において、図１〜図６と同一部分には同一符号を付し、その共通する部分の詳細な説明は省略する。本実施例の液体散布装置１では、道路の路肩Ａに液剤を散布する路肩側ノズルユニット６０と、中央分離帯Ｂに液剤を散布する中央分離帯側ノズルユニット６１と、道路の目地に液剤を散布する下側ノズルユニット６２を備えている。路肩側ノズルユニット６０は荷台３９の前面壁６３の左端側にシリンダユニット６４を介して取り付けられている。また、中央分離帯側ノズルユニット６１は荷台３９の前面壁６３の右端側に取り付けられている。また、下側ノズルユニット６２は、車両３８下部の中央に２カ所と、その左右両側の１カ所ずつの計四か所に第１〜４の下側ノズル６５，６６，６７，６８を備えている。
【００４１】
路肩側ノズルユニット６０には、上下方向に長手方向を有する中空箱状の路肩ノズル側筐体６９と、路肩ノズル側筐体６９の一側面部の上下方向に所定の間隔を有して並設された上から順に第１〜８の路肩側ノズル７０，７１，７２，７３，７４，７５，７６，７７と、路肩ノズル側筐体６９の他側面部の上部に並設された上から順に第１〜４の路肩ノズル側管継手７８，７９，８０，８１とを備えている。また、第１〜８の路肩側ノズル７０，７１，７２，７３，７４，７５，７６，７７は手動にて任意の向きに変更可能とする。
【００４２】
中央分離帯側ノズルユニット６１には、上下方向に長手方向を有する中空箱状の中央分離帯ノズル側筐体８２と、中央分離帯ノズル側筐体８２の一側面部の上下方向に所定の間隔を有して並設された上から順に第１〜４の中央分離帯側ノズル８３，８４，８５，８６と、中央分離帯ノズル側筐体８２の他側面部の上部に並設された上から順に第１〜４の中央分離帯ノズル側管継手８７（第２〜４の中央分離帯側管継手は不図示）とを備えている。また、第１〜４の中央分離帯側ノズル８３，８４，８５，８６は手動にて任意の向きに変更可能とする。
【００４３】
バルブユニット３は、メインバルブ１８から並列して接続された第１〜５の電磁バルブ１９，２０，２１，２２，９１と、第１〜４の電磁バルブ１９，２０，２１，２２の先に設けられた手動式の第１〜４の切替バルブ９２（第２〜４の切替バルブについては不図示）とを備えている。
【００４４】
そして、第１〜４の切替バルブ９２を操作することで、第１〜４の電磁バルブ１９，２０，２１，２２からの液剤を路肩側ノズルユニット６０か中央分離帯側ノズルユニット６１のどちらに流すか決めることができる。第５の電磁バルブ９１は、下側ノズルユニット６２に接続されている。
【００４５】
以上のように本実施例では、車両３８の下部に下側散布手段として下側ノズルユニット６２を備えたことにより、道路の目地の雑草への効果的な液体散布を行うことができる。
【００４６】
また、本実施例では、道路の路肩Ａへ散布可能な路肩側散布手段として路肩側ノズルユニット６０、中央分離帯Ｂへ散布可能な中央分離帯側散布手段として中央分離帯側ノズルユニット６１とを備えたことにより、単独の液体散布装置１で道路の路肩Ａと中央分離帯Ｂのどちらも液体散布が行えるので、汎用性の高い液体散布装置１を提供することができる。
【００４７】
尚、本発明は上記各実施例に記載の内容に限定されず、適宜変更可能である。例えば、液体散布装置はトラックの荷台以外にも搭載可能である。ノズルの向きは手動で変更する以外に、無線機によって変更可能としてもよい。本発明の液体散布装置は、液体の散布に関するものであれば、除草剤の散布に限定されるものではない。また、中央分離帯側ノズルユニットをシリンダユニットによって昇降可能としてもよい。
【符号の説明】
【００４８】
１  液体散布装置
２  ノズルユニット（散布手段）
３  バルブユニット（装置本体）
３５ キャスター
３７  シリンダユニット（昇降手段）
３８  車両
３９  荷台
４０ 左側面壁
４１ 右側面壁
４３  無線機（操作手段）
６０  路肩側ノズルユニット（路肩側散布手段）
６１  中央分離帯側ノズルユニット（中央分離帯側散布手段）
６２  下側ノズルユニット（下側散布手段）
６４  シリンダユニット（昇降手段）
【図１】
0006576875.tif 000002
【図２】
0006576875.tif 000003
【図３】
0006576875.tif 000004
【図４】
0006576875.tif 000005
【図５】
0006576875.tif 000006
【図６】
0006576875.tif 000007
【図７】
0006576875.tif 000008
【図８】
0006576875.tif 000009
【図９】
0006576875.tif 000010
【図１０】
0006576875.tif 000011